(57)【要約】【課題】電気泳動表示層の周縁部の表示性能に優れた電気泳動表示装置を提供する。【解決手段】電気泳動表示装置の製造時において、電気泳動表示層１４を挟んで積層した正面側電極基板１３の周面と背面側電極基板１２の周面とに亘って接着剤を塗布し、これを硬化させることにより間隔保持部２５を形成する。この間隔保持部２５は、背面側電極基板１２の周面と正面側電極基板１３の周面とに接合され、電気泳動表示層１４の周縁部の外力による圧縮変形を抑制する。【選択図】図１
2008209695.tif 000002
【特許請求の範囲】
【請求項１】
対向配置された第１電極基板と第２電極基板との間に、電気泳動粒子及び電気泳動分散
媒が用いられた電気泳動表示層を設けた電気泳動表示装置において、
外力による前記電気泳動表示層の周縁部の圧縮変形を抑制する変形抑制部を設けたこと
を特徴とする電気泳動表示装置。
【請求項２】
前記変形抑制部は、前記第１電極基板の周縁部と前記第２電極基板の周縁部とにそれぞ
れ接合された状態で両電極基板の周縁部間に設けられ、両電極基板の周縁部同士の接近を
抑制する間隔保持部であることを特徴とする請求項１に記載の電気泳動表示装置。
【請求項３】
前記間隔保持部は、第１電極基板の周面と第２電極基板の周面とにそれぞれ接合されて
いることを特徴とする請求項２に記載の電気泳動表示装置。
【請求項４】
前記間隔保持部は、第１電極基板の周縁内面と第２電極基板の周面とにそれぞれ接合さ
れていることを特徴とする請求項２に記載の電気泳動表示装置。
【請求項５】
前記間隔保持部は透明であることを特徴とする請求項２〜請求項４のいずれか一項に記
載の電気泳動表示装置。
【請求項６】
前記第２電極基板の外面全体を覆うように同外面に接合された防水部材を備えるととも
に、前記電気泳動表示層の周囲において前記第１電極基板の周縁部と前記防水部材の周縁
部とを接合したことを特徴とする請求項１〜請求項５のいずれか一項に記載の電気泳動表
示装置。
【請求項７】
前記第１電極基板の外面全体を覆うように同外面に接合された第１防水部材と、前記第
２電極基板の外面全体を覆うように同外面に接合された第２防水部材とを備えるとともに
、前記電気泳動表示層の周囲において前記第１防水部材の周縁部と前記第２防水部材の周
縁部とを接合したことを特徴とする請求項１〜請求項５のいずれか一項に記載の電気泳動
表示装置。
【請求項８】
前記変形抑制部は、前記電気泳動表示層の周面全体を包囲するように同周面上に設けら
れ、電気泳動表示層の外周への変形を規制する形状保持部であることを特徴とする請求項
１に記載の電気泳動表示装置。
【請求項９】
対向配置された第１電極基板と第２電極基板との間に、電気泳動粒子及び電気泳動分散
媒を用いた電気泳動表示層を挟み、電気泳動表示層を挟んで積層された第１電極基板及び
第２電極基板を加圧状態で接合する電気泳動表示装置の製造方法において、
前記電気泳動表示層を挟んで前記第１電極基板及び第２電極基板を積層した後、外力に
よる外力による前記電気泳動表示層の周縁部の圧縮変形を抑制する変形抑制部を形成し、
その後、前記電気泳動表示層を挟んで積層された第１電極基板及び第２電極基板を加圧
して接合することを特徴とする電気泳動表示装置の製造方法。
【請求項１０】
前記変形抑制部を、前記第１電極基板の周縁部と前記第２電極基板の周縁部とにそれぞ
れ接合された状態で両電極基板の周縁部間に設けられ、両電極基板の周縁部同士の接近を
抑制する間隔保持部として形成することを特徴とする請求項９に記載の電気泳動表示装置
の製造方法。
【請求項１１】
前記変形抑制部を、前記電気泳動表示層の周面全体を包囲するように同周面上に設けら
れ、電気泳動表示層の外周への変形を規制する形状保持部として形成することを特徴とす
る請求項９に記載の電気泳動表示装置の製造方法。
【発明の詳細な説明】
【技術分野】
【０００１】
この発明は、電子ペーパー、電子ブック、電子手帳等の各種情報表示装置や、ビデオ装
置、テレビ電話等の各種機器のモニタに用いられる電気泳動表示層、及び、その製造方法
に関するものである。
【背景技術】
【０００２】
従来、この種の電気泳動表示装置としては、例えば図１５に示すように、背面基板５０
に画素電極配線層５１が形成された背面側電極基板５２と、透明基板５３に透明共通電極
５４が形成された正面側電極基板５５との間に、多数のマイクロカプセル５６がバインダ
５７で固定された電気泳動表示層５８を形成したものがある（例えば特許文献１参照）。
マイクロカプセル５６の中には、図示しない電気泳動粒子を電気泳動分散媒に分散した電
気泳動分散液が封入されている。電気泳動粒子は、透明共通電極５４と、画素電極配線層
５１中の各画素電極との間に印加される電圧により生成される電界の向きに応じて透明共
通電極５４側又は画素電極側へ移動する。そして、その電気泳動粒子の移動位置により、
画素電極に対応した領域における色が表示される。
【０００３】
上記表示装置の製造には、次のような工程がある。すなわち、図１６に示すように、背
面側電極基板５２及び正面側電極基板５５は、電気泳動表示層５８を挟んで積層された状
態で加圧及び加熱されて接合一体化されて表示素子５９となる。また、表示素子５９には
、図１７に示すように、防水フィルム６０が加圧及び加熱によって貼り付けられて封止さ
れる。
【特許文献１】特開２００６−２２７４１８号公報（第４〜８頁、第１，２図）
【発明の開示】
【発明が解決しようとする課題】
【０００４】
ところで、電気泳動表示層５８を挟んで積層された背面側電極基板５２及び正面側電極
基板５５を加圧及び加熱するとき、電気泳動表示層５８に加わる圧力（積層方向）は、そ
の周縁側ほど大きくなる。これは、両電極基板５２，５５の周縁部が、その外周において
電気泳動表示層５８により支持されていないことから、撓みやすいためである。このため
、電気泳動表示層５８の周縁部においてはマイクロカプセル５６が圧縮変形しやすくなり
、加圧及び加熱条件の設定が難しくなる。すなわち、加圧力が弱すぎると、両電極基板５
２，５５及び電気泳動表示層５８の接合強度が不足する。これとは反対に加圧力が強すぎ
ると、電気泳動表示層５８の周縁部においてマイクロカプセル５６が過度に圧縮変形した
り、破損したりしてしまい、この結果、表示素子５９の周縁部における表示性能が低下す
ることがある。
【０００５】
また、これと同様な理由により、作製された表示素子５９の両外面に防水フィルム６０
を貼り付けるときにも、加圧力の適正な設定が困難であり、加圧力が強すぎると表示素子
５９の周縁部の表示性能が低下することがあった。
【０００６】
この発明は、このような従来の技術に存在する問題点に着目してなされたものである。
その目的とするところは、電気泳動表示層の周縁部の表示性能が低下しにくい電気泳動表
示装置、及び、その生産に適した電気泳動表示装置の製造方法を提供することにある。
【課題を解決するための手段】
【０００７】
上記の目的を達成するために、この発明は、対向配置された第１電極基板と第２電極基
板との間に、電気泳動粒子及び電気泳動分散媒が用いられた電気泳動表示層を設けた電気
泳動表示装置において、外力による前記電気泳動表示層の周縁部の圧縮変形を抑制する変
形抑制部を設けたことを特徴とする。
【０００８】
この構成によれば、電気泳動表示装置の製造時において、電気泳動表示層を挟んで積層
された第１及び第２電極基板をその積層方向に加圧したときに、積層方向に加えられた外
力による電気泳動表示層の周縁部の圧縮変形が変形抑制部によって抑制される。このため
、電気泳動表示層の周縁部の構造が損なわれにくくなり、電気泳動表示層の周縁部におけ
る表示性能が低下しにくくなる。
【０００９】
また、この発明は、前記変形抑制部が、前記第１電極基板の周縁部と前記第２電極基板
の周縁部とにそれぞれ接合された状態で両電極基板の周縁部間に設けられ、両電極基板の
周縁部同士の接近を抑制する間隔保持部であることを特徴とする。
【００１０】
この構成によれば、第１電極基板の周縁部と前記第２電極基板の周縁部とにそれぞれ接
合された状態で両電極基板の周縁部間に設けられた間隔保持部により、両電極基板の周縁
部同士の接近が規制され、この結果、電気泳動表示層の周縁部の圧縮変形が抑制される。
【００１１】
また、この発明は、前記間隔保持部が、第１電極基板の周面と第２電極基板の周面とに
接合されていることを特徴とする。
この構成によれば、両電極基板の形状及び面積を同一とし、両電極基板の周面の位置を
合わせた構成に適用できるため、実際の表示面積に対する表示装置の外形の大型化を招か
ないようにすることができる。
【００１２】
また、この発明は、前記間隔保持部が、第１電極基板の周縁内面と第２電極基板の周面
とに接合されていることを特徴とする。
この構成によれば、両電極基板に対して積層方向に加えられた外力を、第１電極基板の
周縁内面で受けることができるため、第１電極基板と間隔保持部との接合部が破損しにく
く、この結果、電気泳動表示層の周縁部の圧縮変形を有効に抑制することができる。
【００１３】
また、この発明は、前記間隔保持部が透明であることを特徴とする。
この構成によれば、電気泳動表示層の周縁部による表示色に補強部の色が入り込まない
ため、電気泳動表示層の有効表示領域が制約されにくい。このため、電気泳動表示装置が
大型化しにくい。
【００１４】
また、この発明は、前記第２電極基板の外面全体を覆うように同外面に接合された防水
部材を備えるとともに、前記電気泳動表示層の周囲において前記第１電極基板の周縁部と
前記防水部材の周縁部とを接合したことを特徴とする。
【００１５】
この構成によれば、表示装置の片側に防水部材を設けた構成において、実際の表示面積
に対する外形を小さくすることができる。すなわち、補強部を設けない構成とした場合に
は、製造時において電気泳動表示層の周縁部に加わる外力による同周縁部の圧縮変形を抑
制するために、第１電極基板及び第１防水部材の周縁部を電気泳動表示層の周縁部から外
周に大きく張り出させる必要があった。これに対し、補強部を設けた構成によれば、電気
泳動表示層の周縁部から外周に張り出させる第１電極基板及び第１防水部材の周縁部の大
きさを小さくすることができる。
【００１６】
また、この発明は、前記第１電極基板の外面全体を覆うように同外面に接合された第１
防水部材と、前記第２電極基板の外面全体を覆うように同外面に接合された第２防水部材
とを備えるとともに、前記電気泳動表示層の周囲において前記第１防水部材の周縁部と前
記第２防水部材の周縁部とを接合したことを特徴とする。
【００１７】
この構成によれば、表示装置の両側に防水部材を設けた構成において、実際の表示面積
に対する外形を小さくすることができる。すなわち、補強部を設けない構成とした場合に
は、製造時において電気泳動表示層の周縁部に加わる外力による同周縁部の圧縮変形を抑
制するために、第１防水部材及び第２防水部材の周縁部を電気泳動表示層の周縁部から外
周に大きく張り出させる必要があった。これに対し、補強部を設けた構成によれば、電気
泳動表示層の周縁部から外周に張り出させる第１防水部材及び第２防水部材の周縁部の大
きさを小さくすることができる。
【００１８】
また、この発明は、前記変形抑制部が、前記電気泳動表示層の周面全体を包囲するよう
に同周面上に設けられ、電気泳動表示層の外周への変形を規制する形状保持部であること
を特徴とする。
【００１９】
この構成によれば、前記電気泳動表示層の周面全体を包囲するように同周面上に設けら
れた形状保持部により、電気泳動表示層の外周への変形が規制され、この結果、電気泳動
表示層の圧縮変形が抑制される。このため、電気泳動表示層の周縁部の構造が損なわれに
くくなり、電気泳動表示層の周縁部における表示性能が低下しにくくなる。
【００２０】
また、この発明は、対向配置された第１電極基板と第２電極基板との間に、電気泳動粒
子及び電気泳動分散媒を用いた電気泳動表示層を挟み、電気泳動表示層を挟んで積層され
た第１電極基板及び第２電極基板を加圧状態で接合する電気泳動表示装置の製造方法にお
いて、前記電気泳動表示層を挟んで前記第１電極基板及び第２電極基板を積層した後、外
力による前記電気泳動表示層の周縁部の圧縮変形を抑制する変形抑制部を形成し、その後
、前記電気泳動表示層を挟んで積層された第１電極基板及び第２電極基板を加圧して接合
することを特徴とする。
【００２１】
この構成によれば、電気泳動表示層を挟んで積層された第１電極基板及び第２電極基板
を積層方向に加圧したときに、積層方向に加えられた外力による電気泳動表示層の周縁部
の圧縮変形が変形抑制部によって抑制される。このため、電気泳動表示層の周縁部の構造
が損なわれにくくなり、電気泳動表示層の周縁部における表示性能が低下しにくくなる。
【発明を実施するための最良の形態】
【００２２】
（第１実施形態）
次に、この発明を具体化した第１実施形態について、図１〜図５を参照して説明する。
図１に示すように、電気泳動表示装置（以下、単に表示装置という）１０は平板状の表
示素子１１を備え、この表示素子１１は、背面側電極基板１２、この背面側電極基板１２
に対向配置された正面側電極基板１３、及び、背面側電極基板１２と正面側電極基板１３
との間に配置された電気泳動表示層１４とにより構成されている。
【００２３】
前記背面側電極基板１２は、可撓性を有する背面基板１５を備え、その一面（図１にお
ける上面）には、画素電極配線層１６が形成されている。背面基板１５は、可撓性、弾性
等に優れた熱可塑性樹脂又は熱硬化性樹脂材料、例えばポリエチレンテレフタレート、ポ
リカーボネート、ポリイミド、ポリエチレン等により形成されている。また、画素電極配
線層１６は、銅箔パターンから形成されている。
【００２４】
前記正面側電極基板１３は、可撓性を有する透明基板１７を備え、その一面（図１にお
ける下面）には、透明共通電極層１８が形成されている。透明基板１７は、透明性、可撓
性等に優れた熱可塑性樹脂又は熱硬化性樹脂材料、例えばポリエチレンテレフタレート、
ポリカーボネート、ポリイミド、ポリエチレン等により形成されている。透明共通電極層
１８は、インジウムスズ酸化物、又は、ポリアニリン等の電子導電性高分子等により形成
されている。
【００２５】
前記電気泳動表示層１４は、バインダ１９によって一体化された多数のマイクロカプセ
ル２０によって構成されている。マイクロカプセル２０には、電気泳動分散媒と、電気泳
動粒子とが封入されている。電気泳動粒子は、マイクロカプセル２０に印加された電界の
向きに応じて電気泳動分散媒中を泳動する。マイクロカプセル２０は、例えばアラビアゴ
ム・ゼラチン系化合物、ウレタン系化合物等により形成されている。電気泳動分散媒は、
例えば水、メタノール、エタノール等からなる。電気泳動粒子は、例えばアニリンブラッ
ク、カーボンブラック、二酸化チタン等により形成されている。
【００２６】
図１に示すように、前記表示素子１１には、その周面全体に沿った環状に形成された変
形抑制部としての間隔保持部２５が同周面上に設けられている。この間隔保持部２５は、
背面側電極基板１２の周面１２ａと正面側電極基板１３の周面１３ａとにそれぞれ接合さ
れた状態で両電極基板１２，１３間に形成されている。間隔保持部２５は、表示素子１１
の周縁部に対して加わった積層方向の外力による両電極基板１２，１３の周縁部同士の接
近をその剛性及び靱性によって抑制するようになっている。そして、間隔保持部２５は、
両電極基板１２，１３の周縁部同士の接近を抑制することにより、電気泳動表示層１４の
周縁部の圧縮変形を抑制する作用を有している。また、間隔保持部２５は、電気泳動表示
層１４の周面１４ａを覆っている。
【００２７】
間隔保持部２５は、表示素子１１の曲げ容易性を損ないにくいような材料、及び、形態
で形成されている。間隔保持部２５の材料としては、嫌気硬化性、光硬化性、熱硬化性等
の接着剤、具体的には、例えばポリエステルポリオールを用いたエポキシ系樹脂接着剤や
、変形シリコーンポリマー、変性ポリサルファイドポリマー系を主成分とする弾性接着剤
が好ましい。また、間隔保持部２５の材料は、表示装置１０の表示性能を低下させないよ
うに、硬化状態で透明であることが好ましい。
【００２８】
さらに、前記表示素子１１は、図１に示すように、背面側電極基板１２の外面全体を覆
うように同外面に接合された第１防水部材としての保護フィルム２６ａと、正面側電極基
板１３の外面全体を覆うように同外面に接合された第２防水部材としての保護フィルム２
６ｂとによって封止されている。この保護フィルム２６ａ，２６ｂは、例えば外側に配置
される高分子樹脂フィルム層と、その内側に配置される無機材料バリア層とにより構成さ
れ、外部から表示素子１１への水分の侵入を防ぐようになっている。高分子樹脂フィルム
層は、例えばポリエチレンテレフタレート、ポリエチレン、ポリプロピレン等からなる。
無機材料バリア層は、例えば酸化珪素、窒化珪素、酸化アルミニウム等よりなる。上下の
両保護フィルム２６ａ，２６ｂは、例えばホットメルト接着剤等の接着剤２７により表示
素子１１の両外面を覆うように同両外面に貼り付けられるとともに、その周縁部同士が、
前記間隔保持部２５の外周において接着剤２８により接着されるとともにその両周縁部の
接着面間が封止されている。
【００２９】
次に、上記のように構成されたこの実施形態の製造方法について図２〜図５を参照して
説明する。
まず、前記背面側電極基板１２と、前記正面側電極基板１３とをそれぞれ作製する。背
面側電極基板１２は、背面基板１５の一面に対し、例えばセミアディティブ法によって銅
箔パターンからなる画素電極配線層１６を形成することにより作製される。また、正面側
電極基板１３は、透明基板１７の一面に対し、例えばスパッタ法によって透明共通電極層
１８を形成することにより作製される。
【００３０】
次に、正面側電極基板１３の透明共通電極層１８上に、マイクロカプセル２０とバイン
ダ１９との混合液を例えばロールコータにより均一に塗布する。次に、前記混合液が塗布
された正面側電極基板１３を所定温度で所定時間乾燥させて、正面側電極基板１３の一面
に電気泳動表示層１４を形成する。
【００３１】
次に、図２に示すように、背面側電極基板１２上の画素電極配線層１６と正面側電極基
板１３上の電気泳動表示層１４とを当接させるように、背面側電極基板１２と正面側電極
基板１３とを重ねる。次に、図３に示すように、電気泳動表示層１４を挟んで積層された
背面側電極基板１２及び正面側電極基板１３の各周面１２ａ，１３ａ，１４ａに接着剤を
塗布し、この接着剤を乾燥させて間隔保持部２５を形成する。この接着剤の塗布は、ノズ
ル付きディスペンサを使用したり、積層状態の両電極基板１２，１３の周面を接着剤に浸
漬させたりすることによって行うことができる。このとき、接着剤の一度の塗布によって
間隔保持部２５を形成するのみならず、余分に接着剤を塗布して硬化させた後、余分な部
分を切り取って間隔保持部２５を形成してもよい。この工程により、背面側電極基板１２
の周面１２ａと正面側電極基板１３の周面１３ａとにそれぞれ接合された間隔保持部２５
が両電極基板１２，１３の間に形成される。
【００３２】
次に、間隔保持部２５によって結合された状態の背面側電極基板１２と正面側電極基板
１３とを、図４に示すように真空状態で加圧及び加熱する。真空状態での加圧及び加熱は
、例えば周知の真空ラミネータを用いて行うことができる。この工程により、背面側電極
基板１２、電気泳動表示層１４及び正面側電極基板１３が積層状態で一体化された表示素
子１１が作製される。
【００３３】
次に、図５に示すように、予め接着剤２７を施した保護フィルム２６ａ，２６ｂを表示
素子１１の両外面にそれぞれ重ね合わせ、これを再び真空ラミネータにより真空状態で加
圧及び加熱して保護フィルム２６ａ，２６ｂを表示素子１１の外面に貼り付ける。次に、
表示素子１１の周縁より外周において上下の保護フィルム２６ａ，２６ｂの内面間に接着
剤２８を注入し、両保護フィルム２６ａ，２６ｂの周縁部同士を接着するとともにその接
着面間を封止する。この工程により、図１に示すように、表示素子１１が保護フィルム２
６ａ，２６ｂによって封止された表示装置１０が作製される。
【００３４】
さて、上記のように構成された表示装置１０において、背面側電極基板１２の画素電極
配線層１６と正面側電極基板１３の透明共通電極層１８との間に駆動電圧を印加すると、
画素電極配線層１６と透明共通電極層１８との間に生成される電界により、各マイクロカ
プセル２０中の電気泳動粒子が画素電極配線層１６側又は透明共通電極層１８側へ泳動す
る。そして、マイクロカプセル２０における電気泳動粒子の移動位置に応じて、正面側電
極基板１３側においてマイクロカプセル２０により表示される色が決定される。この各マ
イクロカプセル２０により正面側電極基板１３側に表示される色により、表示素子１１全
体に画像が形成される。
【００３５】
以上詳述したこの実施形態は、以下の各効果を有する。
（１）  表示装置１０の製造時において、電気泳動表示層１４を挟んで積層された正面
側電極基板１３の周面１３ａと背面側電極基板１２の周面１２ａとにそれぞれ接合された
間隔保持部２５を両電極基板１２，１３間に形成した。そして、この工程の後に、電気泳
動表示層１４を挟んで積層された背面側電極基板１２及び正面側電極基板１３を加圧及び
加熱して接合一体化するようにした。このとき、両電極基板１２，１３間に介在された間
隔保持部２５の剛性及び靱性により、加圧方向（すなわち積層方向）に加えられた外力に
よる両電極基板１２，１３の周縁部同士の接近を抑制し、この結果、電気泳動表示層１４
の周縁部の圧縮変形を抑制するようにした。従って、表示素子１１の作製時において電気
泳動表示層１４の周縁部の圧縮変形が抑制され、同周縁部におけるマイクロカプセル２０
の破壊や過度の圧縮変形が抑制される。この結果、電気泳動表示層１４の周縁部における
表示性能の低下を抑制し、従って、表示素子１１の周縁部の表示性能低下を抑制すること
ができる。特に、マイクロカプセル２０の表示応答性を向上させるためにその外径を小さ
くするとともにバインダ１９の層厚を薄くして電気泳動表示層１４を薄くした場合には、
バインダ１９の応力吸収作用が弱くなってマイクロカプセル２０が圧縮変形し易くなり、
その周縁部の表示性能が低下し易くなる。この発明は、そのような場合においてより効果
を発揮する。
【００３６】
加えて、表示素子１１の両外面に対し保護フィルム２６ａ，２６ｂを加圧状態で貼り付
けるときにも、外力による電気泳動表示層１４の周縁部の圧縮変形が間隔保持部２５によ
って抑制され、同周縁部におけるマイクロカプセル２０の破壊や過度の圧縮変形が抑制さ
れる。従って、表示素子１１を保護フィルム２６ａ，２６ｂによって封止した表示装置１
０においても、電気泳動表示層１４の周縁部における表示性能の低下を抑制し、従って、
表示素子１１の周縁部の表示性能低下を抑制することができる。
【００３７】
（２）  また、電気泳動表示層１４を挟んで積層された背面側電極基板１２及び正面側
電極基板１３を加圧及び加熱するときに、電気泳動表示層１４の周縁部が圧縮変形しにく
くなるため、加圧力や加熱温度をより高く設定することができる。このため、電気泳動表
示層１４を挟んで積層された背面側電極基板１２及び正面側電極基板１３をより高い接合
強度となるように接合し、この結果、その寿命を向上することができる。
【００３８】
（３）  間隔保持部２５を設けない従来の構成においては、背面側電極基板１２及び正
面側電極基板１３の面積を電気泳動表示層１４の面積よりも大きく設定し、背面側電極基
板１２及び正面側電極基板１３の周縁部が、電気泳動表示層１４の周縁よりも外周に大き
く張り出すようにする必要があった。このような構成により、背面側電極基板１２及び正
面側電極基板１３の周縁部を電気泳動表示層１４の周縁部の外周に遠ざけ、電気泳動表示
層１４の周縁部に加わる外力を低減していた。これに対し、この実施形態によれば、電気
泳動表示層１４の周縁部に加わる外力を間隔保持部２５の剛性及び靱性によって低減する
ので、背面側電極基板１２及び正面側電極基板１３の面積を小さくすることができる。こ
のため、表示装置１０の実際の表示面積に対する外形の比を小さくすることができる。
【００３９】
また、従来は、保護フィルム２６ａ，２６ｂの面積も表示素子１１の面積より大きく設
定し、保護フィルム２６ａ，２６ｂの周縁部が表示素子１１の周縁よりも外周に大きく張
り出すように構成することにより、保護フィルム２６ａ，２６ｂの貼り付け時に電気泳動
表示層１４の周縁部に加わる外力を低減する必要があった。これに対し、この実施形態に
よれば、表示素子１１に対する保護フィルム２６ａ，２６ｂの張り出し量を小さくするこ
とができるため、実際の表示面積に対する表示装置１０の外形を小さくすることができる
。
【００４０】
（４）  間隔保持部２５により電気泳動表示層１４の周面１４ａが覆われるため、加圧
及び加熱時において電気泳動表示層１４の各マイクロカプセル２０から外部に発散する水
分の量が抑制される。このため、製造工程における各マイクロカプセル２０の表示能力の
低下を抑制し、表示素子１１の表示性能の低下を抑制することができる。
【００４１】
（５）  両電極基板１２，１３の面積及び形状を同一とし、両電極基板１２，１３の周
面１２ａ，１３ａの位置を合わせた構成において、間隔保持部２５を、各電極基板１２，
１３の周面１２ａ，１３ａにそれぞれ接合された状態で両電極基板１２，１３間に設ける
ようにした。このため、表示装置１０の実際の表示面積に対する表示装置１０の外形の大
型化を招かないようにすることができる。
【００４２】
（６）  間隔保持部２５を透明な材料により形成したので、実際の表示領域の面積に対
する外形を小さくすることができる。すなわち、間隔保持部２５を不透明な材料によって
形成した場合には、電気泳動表示層１４の周縁部による表示色に間隔保持部２５の色が入
り込むため、電気泳動表示層１４による有効表示領域が制約される。このため、所望の表
示面積に対して表示素子１１の面積を大きく設定する必要があり、電気泳動表示装置１０
が大型化する。これに対し、この実施形態では、間隔保持部２５の色を透明としたので、
電気泳動表示層１４の周縁部による表示色に間隔保持部２５の色が入り込まず、電気泳動
表示層１４による有効表示領域が制約されない。従って、所望の表示面積に対する表示素
子１１の面積をより小さくすることができるため、表示装置１０を小型化することができ
る。
【００４３】
（第２実施形態）
次に、この発明を具体化した第２実施形態について図６〜図８を参照して説明する。な
お、以降の各実施形態の説明において第１実施形態と同じ構成については、符号を同じに
してその説明を省略し、第１実施形態と異なる構成のみについて説明する。
【００４４】
図６に示すように、この実施形態の表示素子１１は、正面側電極基板１３よりも大きな
面積を有する背面側電極基板１２を備え、この背面側電極基板１２の周縁部は、正面側電
極基板１３の周面１３ａよりも外周に張り出している。この表示素子１１には、第１実施
形態と同様な間隔保持部２５が、正面側電極基板１３の周面１３ａと背面側電極基板１２
の周縁内面１２ｂとにそれぞれ接合された状態で両電極基板１２，１３の周縁部間に形成
されている。この間隔保持部２５は、表示素子１１の周縁部に対して加わった積層方向の
外力による両電極基板１２，１３の周縁部同士の接近をその剛性及び靱性によって抑制す
るようになっている。この結果、間隔保持部２５は、電気泳動表示層１４の周縁部の圧縮
変形を抑制するようになっている。この間隔保持部２５は、第１実施形態と同様に、表示
素子１１の製造時において、電気泳動表示層１４を挟んで積層されるとともに加圧及び加
熱により接合される前の背面側電極基板１２及び正面側電極基板１３の周縁部に形成され
る。
【００４５】
この実施形態の表示装置１０は、第１実施形態と同様、図７に示すように、電気泳動表
示層１４を挟んで積層された背面側電極基板１２及び正面側電極基板１３に対する加圧及
び加熱時において、加圧方向に加えられた外力による電気泳動表示層１４の周縁部の圧縮
変形を抑制する。そして、同周縁部におけるマイクロカプセル２０の破損や過度の圧縮変
形を抑制する。また、図８に示すような表示素子１１に対する保護フィルム２６ａ，２６
ｂの貼り付け時においても、電気泳動表示層１４の周縁部の圧縮変形を抑制する。従って
、この実施形態は、第１実施形態の（１）〜（４），（６）に記載の各効果を有する。加
えて、この実施形態は、下記（７）に記載の効果を有する。
【００４６】
（７）  間隔保持部２５は、背面側電極基板１２の周縁内面１２ｂと正面側電極基板１
３の周面１３ａとにそれぞれ接合された状態で両電極基板１２，１３の周縁部間に形成さ
れている。このため、両電極基板１２，１３に対して積層方向に外力が加えられても、背
面側電極基板１２と間隔保持部２５との接合部が破損しにくい。この結果、電気泳動表示
層１４の周縁部の圧縮変形を有効に抑制することができる。
【００４７】
（第３実施形態）
次に、この発明を具体化した第３実施形態について、図９〜図１１を参照して説明する
。
【００４８】
図９に示すように、この実施形態の表示装置１０は、正面側電極基板１３よりも大きな
面積を有する背面側電極基板１２を備え、この背面側電極基板１２の周縁部は、正面側電
極基板１３の周面よりも外周に張り出している。また、この表示装置１０は、正面側電極
基板１３の外面全体を覆うように同外面に張り合わされる防水部材としての保護フィルム
２６を備え、前記背面基板１５には、保護フィルム２６と同様の無機材料バリア層が形成
されて背面基板１５自体が防水性を有している。
【００４９】
また、表示素子１１には、第２実施形態と同様な間隔保持部２５が、正面側電極基板１
３の周面１３ａと背面側電極基板１２の周縁内面１２ｂとにそれぞれ接合された状態で両
電極基板１２，１３の周縁部間に形成されている。
【００５０】
この実施形態の表示装置１０は、図１０に示すような電気泳動表示層１４を挟んで積層
された背面側電極基板１２及び正面側電極基板１３に対する加圧及び加熱時において、加
圧方向の外力による電気泳動表示層１４の周縁部の圧縮変形を抑制し、同周縁部における
マイクロカプセル２０の破損や過度の圧縮変形を抑制する。また、図１１に示すような正
面側電極基板１３に対する保護フィルム２６の貼り付け時においても、電気泳動表示層１
４の周縁部の圧縮変形を抑制する。従って、この実施形態も、第１実施形態の（１）〜（
４），（６）に記載の各効果と、第２実施形態の（７）に記載の効果とを有する。
【００５１】
（第４実施形態）
次に、この発明を具体化した第４実施形態について、図１２及び図１３を参照して説明
する。
【００５２】
図１２に示すように、この実施形態の表示装置１０は、第１〜第３実施形態の表示装置
１０の背面側電極基板１２とは異なる構成の背面側電極基板１２を備えている。すなわち
、この背面側電極基板１２は、背面基板１５の一面に、前記画素電極配線層１６の代わり
に半導体回路層３０が形成されたものである。半導体回路層３０は、行方向及び列方向に
それぞれ複数配列された画素電極、画素駆動回路等により構成され、接着層３１を介して
背面基板１５の一面に固定されている。画素駆動回路は、薄膜トランジスタ（ＴＦＴ）に
より構成されている。各画素電極及び各画素駆動回路は、図示しない行デコーダ及び列デ
コーダを介して外部の駆動回路に接続される。半導体回路層３０は、薄膜回路転写法によ
り形成される。
【００５３】
また、この表示装置１０の電気泳動表示層１４は、第１〜第３実施形態の電気泳動表示
層１４とは異なる構成を備えている。すなわち、この電気泳動表示層１４は、マイクロカ
プセル２０により構成されるものではなく、背面基板１５上の枠３２により形成された多
数の室３３に電気泳動粒子及び電気泳動分散媒よりなる電気泳動分散液が充填されて構成
されている。なお、枠３２は、フォトレジストやオフセット印刷により、背面基板１５の
半導体回路層３０上に図１３に示すように形成されている。また、電気泳動分散液は、例
えば液滴吐出法（インクジェット法）により枠３２の各室３３に充填されている。
【００５４】
また、表示素子１１には、その周面全体に沿った環状に形成された変形抑制部としての
間隔保持部２５が、正面側電極基板１３の周面１３ａ及び周縁内面１３ｂと、背面側電極
基板１２の周縁内面１２ｂとにそれぞれ接合された状態で両電極基板１２，１３の周縁部
間に形成されている。この間隔保持部２５は、表示素子１１の周縁部に対して加わった圧
縮方向の外力による電気泳動表示層１４の周縁部の圧縮変形を抑制する作用を有している
。この間隔保持部２５は、第１実施形態と同様に、表示素子１１の製造時において、電気
泳動表示層１４を挟んで積層された背面側電極基板１２及び正面側電極基板１３の間に形
成される。
【００５５】
この表示装置１０において、背面側電極基板１２の画素電極配線層１６と正面側電極基
板１３の透明共通電極層１８との間に駆動電圧を印加すると、画素電極配線層１６と透明
共通電極層１８との間に生成される電界により、各室３３中の電気泳動粒子が画素電極配
線層１６側又は透明共通電極層１８側へ泳動する。そして、室３３における電気泳動粒子
の移動位置に応じて、正面側電極基板１３側において室３３により表示される色が決定さ
れる。この各室３３により正面側電極基板１３側に表示される色により、表示素子１１全
体に画像が形成される。
【００５６】
この実施形態の表示装置１０も、第１実施形態と同様に、電気泳動表示層１４を挟んだ
積層状態の背面側電極基板１２及び正面側電極基板１３に対する加圧及び加熱時において
、加圧方向の外力による電気泳動表示層１４の周縁部の圧縮変形を抑制し、同周縁部にお
けるマイクロカプセル２０の破損や過度の圧縮変形を抑制する。また、表示素子１１に対
する防水フィルムの貼り付け時においても、電気泳動表示層１４の周縁部の圧縮変形を抑
制し、同周縁部におけるマイクロカプセル２０の破損や過度の圧縮変形を抑制する。従っ
て、この実施形態は、第１実施形態の（１）〜（４），（６）に記載の各効果を有する。
加えて、この実施形態は、下記（８）に記載の効果を有する。
【００５７】
（８）  間隔保持部２５が、背面側電極基板１２の周縁内面１２ｂと正面側電極基板１
３の周面１３ａとにそれぞれ接合された状態で両電極基板１２，１３の周縁部間に形成さ
れている。このため、両電極基板１２，１３に対して積層方向に外力が加えられても、背
面側電極基板１２及び正面側電極基板１３と間隔保持部２５との各接合部が破損しにくい
。この結果、電気泳動表示層１４の周縁部の圧縮変形を有効に抑制することができる。
【００５８】
（第５実施形態）
次に、この発明を具体化した第５実施形態について、図１４を参照して説明する。
図１４に示すように、この実施形態の表示装置１０には、上記第１〜第４実施形態の間
隔保持部２５の代わりに、電気泳動表示層１４の周面１４ａに沿った環状に形成された変
形抑制部としての形状保持部４０が同周面１４ａ上に設けられている。この形状保持部４
０は、電気泳動表示層１４の厚さと同一の幅を有して電気泳動表示層１４の周面１４ａを
覆い、電気泳動表示層１４の厚さ方向への潰れるような弾性変形を規制するように電気泳
動表示層１４を拘束している。そして、この電気泳動表示層１４に対する弾性変形の規制
により、形状保持部４０は、表示素子１１の周縁部に対して加わった積層方向の外力によ
る同周縁部の圧縮変形を抑制する作用を有している。また、形状保持部４０は、電気泳動
表示層１４の周面１４ａを覆っている。
【００５９】
形状保持部４０は、表示素子１１の曲げ容易性を損ないにくいような材料、及び、形態
で形成されている。間隔保持部２５の材料としては、嫌気硬化性、光硬化性、熱硬化性等
の接着剤、具体的には、例えばポリエステルポリオールを用いたエポキシ系樹脂接着剤や
、変形シリコーンポリマー、変性ポリサルファイドポリマー系を主成分とする弾性接着剤
が好ましい。また、形状保持部４０の材料は、表示装置１０の表示性能を低下させないよ
うに、硬化状態で透明であることが好ましい。
【００６０】
この実施形態の表示装置１０も、電気泳動表示層１４を挟んで積層された背面側電極基
板１２及び正面側電極基板１３に対する加圧及び加熱時と、表示素子１１の両外面に対す
る保護フィルム２６ａ，２６ｂの貼り付け時とにおいて、電気泳動表示層１４の周縁部の
圧縮変形を抑制する。従って、この実施形態は、第１実施形態の（１）〜（４），（６）
に記載の各効果を有する。加えて、この実施形態は、下記（９）に記載の効果を有する。
【００６１】
（９）  形状保持部４０は、電気泳動表示層１４の周面１４ａ全体を包囲するように同
周面１４ａ上に形成されている。このため、背面側電極基板１２及び正面側電極基板１３
の形状及び大きさを同一とし、両電極基板１２，１３の周面１２ａ，１３ａの位置を合わ
せることができる。従って、表示装置１０の実際の表示面積に対する表示装置１０の外形
を小さくすることができる。
【００６２】
（他の実施形態）
なお、この実施形態は、次のように変更して具体化することも可能である。
・  第１〜第４実施形態において、間隔保持部２５を、表示素子１１の周縁に沿った複
数箇所に形成すること。
【００６３】
・  第１〜第３、第５実施形態の背面基板１５において、画素電極配線層１６の代わり
に、半導体回路層３０を形成すること。
・  第４実施形態の背面基板１５において、半導体回路層３０の代わりに、画素電極配
線層１６を形成すること。
【００６４】
・  この発明を、保護フィルム２６，２６ａ，２６ｂによって封止されていない構成の
表示装置１０に具体化すること。
・  この発明を、第４実施形態における電気泳動表示層１４の各室３３において電気泳
動分散媒中に分散させた電気泳動粒子を、背面側電極基板１２及び正面側防水部材の積層
方向に対する所定の直交方向に沿って移動させるように構成した水平型電気泳動方式の電
気泳動表示装置に具体化する。すなわち、各室３３において対向する枠３２の下部に共通
電極を形成し、この共通電極に引き付けられた電気泳動粒子が室３３の底面上、すなわち
、画素電極配線層１６側から枠３２の内面上に移動するように構成する。一方、画素電極
配線層１６に引き付けられた電気泳動粒子は、枠３２の内面上から室３３の底面上に移動
するようにする。この電気泳動粒子の位置の切り替えにより、室３３毎の領域の表示色を
切り替える。このような構成の電気泳動表示装置においても、上記第１実施形態の各効果
を得ることができる。
【図面の簡単な説明】
【００６５】
【図１】第１実施形態の電気泳動表示装置を示す縦断面図。
【図２】製造工程を示す模式図。
【図３】製造工程を示す模式図。
【図４】製造工程を示す模式図。
【図５】製造工程を示す模式図。
【図６】第２実施形態の電気泳動表示装置を示す模式図。
【図７】製造工程を示す模式図。
【図８】製造工程を示す模式図。
【図９】第３実施形態の電気泳動表示装置を示す縦断面図。
【図１０】製造工程を示す模式図。
【図１１】製造工程を示す模式図。
【図１２】第４実施形態の電気泳動表示装置を示す縦断面図。
【図１３】透明基板１７上に形成された枠体を示す斜視図。
【図１４】第５実施形態の電気泳動表示装置を示す縦断面図。
【図１５】従来の電気泳動表示装置を示す縦断面図。
【図１６】従来の電気泳動表示装置の製造工程を示す模式図。
【図１７】従来の電気泳動表示装置の製造工程を示す模式図。
【符号の説明】
【００６６】
１０…電気泳動表示装置、１１…表示素子、１２…第１電極基板としての背面側電極基
板、１２ａ…（第１電極基板の）周面、１２ｂ…周縁内面、１３…第２電極基板としての
正面側電極基板、１３ａ…（第２電極基板の）周面、１２ｂ…周縁内面、１４…電気泳動
表示層、１４ａ…（電気泳動表示層の）周面、１５…背面側電極基板を構成する背面基板
、１６…同じく画素電極配線層、１７…正面側電極基板を構成する透明電極、１８…同じ
く透明共通電極、１９…電気泳動表示層を構成するバインダ、２０…同じくマイクロカプ
セル、２５…変形抑制部としての間隔保持部、２６…防水部材としての保護フィルム、２
６ａ…第１防水部材としての保護フィルム、２６ｂ…第２防水部材としての保護フィルム
、３０…背面側電極基板を構成する半導体回路層、３１…電気泳動表示層を構成する枠、
３２…同じく室、４０…変形抑制部としての形状保持部。
【図１】
2008209695.tif 000003
【図２】
2008209695.tif 000004
【図３】
2008209695.tif 000005
【図４】
2008209695.tif 000006
【図５】
2008209695.tif 000007
【図６】
2008209695.tif 000008
【図７】
2008209695.tif 000009
【図８】
2008209695.tif 000010
【図９】
2008209695.tif 000011
【図１０】
2008209695.tif 000012
【図１１】
2008209695.tif 000013
【図１２】
2008209695.tif 000014
【図１３】
2008209695.tif 000015
【図１４】
2008209695.tif 000016
【図１５】
2008209695.tif 000017
【図１６】
2008209695.tif 000018
【図１７】
2008209695.tif 000019